(57)【要約】【課題】  いか角投入がスム―ズに行われ得ながら、不使用時には通常の竿袋に簡単に収納できるいか角投入器を提供する。【解決手段】  幹糸４１に連結された複数のハリス４３の各ハリス先端にそれぞれいか角４４が取り付けられているいか角仕掛け４を釣場で投入するいか角投入器において、円柱状のいか角保持部１と船縁３に取り付けられる支柱２とからなり、いか角保持部の基端部１５を支柱に対して屈折可能に軸支し、円柱状のいか角保持部にその先端から軸線方向に沿う割り溝１２を形成し、該割り溝によって分断された一方側に割り溝面１３に沿っていか角の針４４１を保持しながらガイドするガイド突出面１４を形成し、該割り溝により複数のいか角の胴部を順次保持するようにし、前記支柱に幹糸の掛け棚５を枢支した、いか角投入器。【選択図】  図１
2007097494.tif 000002
【特許請求の範囲】
【請求項１】
幹糸に連結された複数のハリスの各ハリス先端にそれぞれいか角が取り付けられているいか角仕掛けを釣場で投入するいか角投入器において、
円柱状のいか角保持部と船縁に取り付けられる支柱とからなり、いか角保持部の基端部を支柱に対して屈折可能に軸支し、
円柱状のいか角保持部にその先端から軸線方向に沿う割り溝を形成し、該割り溝によって分断された一方側に割り溝面に沿っていか角の針を保持しながらガイドするガイド突出面を形成し、該割り溝により複数のいか角の胴部を順次保持するようにし、
前記支柱に幹糸の掛け棚を枢支した、
ことを特徴とするいか角投入器。
【請求項２】
前記支柱にいか角の針の矯正用針穴を備えさせたことを特徴とする請求項１記載のいか角投入器。
【発明の詳細な説明】
【技術分野】
【０００１】
本発明は、幹糸に連結された複数のハリスの各ハリス先端にそれぞれいか角が取り付けられているいか角仕掛けを釣場で投入するのに適したいか角投入器に関するものである。
【背景技術】
【０００２】
従来、幹糸に連結された複数のハリスの各ハリス先端にそれぞれいか角が取り付けられているいか角仕掛けを釣場で投入するいか角投入器において、ケ―スの中に、いか角を収納するための複数の筒部材をその挿入口がケ―スの上面に一列に並ぶように納め、ケ―スの幅広面に、左右方向に延びた案内板を適宜の隙間を設けて重ね、案内板の他端にある固定部をケ―スの側面或は側面近くに固定したいか角投入器がある（例えば、特許文献１参照。）。
【０００３】
【特許文献１】特開２００５ー１４３４８６公報。
【発明の開示】
【発明が解決しようとする課題】
【０００４】
ところで前記従来技術では、いか角を収納するための複数の筒部材を、その挿入口がケ―スの上面に一列に並ぶように納めるため、ケ―ス自体が幅広に構成され、また、該ケ―スの幅広面に、左右方向に延びた案内板を設けて重ねるため、案内板自体も幅広に構成されることになり、いか釣り動作時以外の時にこれらケ―ス，案内板及び複数の筒部材を収納する容器が嵩ばり、携帯に不便である、という問題がある。
【０００５】
本発明は、従来の技術の有するこのような問題点に鑑みてなされたものであり、その目的とするところは、いか角の投入がスム―ズに行われ得ながら、不使用時には通常の竿袋に簡単に収納できるいか角投入器を提供しようとするものである。
【課題を解決するための手段】
【０００６】
上記目的を達成するために、本発明におけるいか角投入器は、円柱状のいか角保持部と船縁に取り付けられる支柱とからなり、いか角保持部の基端部を支柱に対して屈折可能に軸支し、円柱状のいか角保持部にその先端から軸線方向に沿う割り溝を形成し、該割り溝によって分断された一方側に割り溝面に沿っていか角の針を保持しながらガイドするガイド突出面を形成し、該割り溝により複数のいか角の胴部を順次保持するようにし、前記支柱に幹糸の掛け棚を枢支したことを特徴とするものである。
【０００７】
また、前記支柱にいか角の針の矯正用針穴を備えさせたことを特徴とするものである。
【発明の効果】
【０００８】
本発明においては、いか角保持部の基端部を支柱に対して屈折可能に軸支し、円柱状のいか角保持部にその先端から軸線方向に沿う割り溝を形成し、該割り溝によって分断された一方側に割り溝面に沿っていか角の針を保持しながらガイドするガイド突出面を形成し、該割り溝により複数のいか角の胴部を順次保持するようにし、前記支柱に幹糸の掛け棚を枢支したので、いか角仕掛けが投入器にコンパクトの取り付けられ、しかも投入時にいか角仕掛けが絡むことなくスム―ズに放出され、更に円柱状のいか角保持部と船縁に取り付けられる支柱とからなり、いか角保持部の基端部を支柱に対して屈折可能に軸支し前記支柱に幹糸の掛け棚を枢支したので、いか角保持部と支柱と幹糸の掛け棚とを、あたかも一本の竿状にすることができることから、不使用時には通常の竿袋に簡単に収納できて携帯にも便利ないか角投入器である。
【０００９】
また、前記支柱にいか角の針の矯正用針穴を備えさせた場合には、いか釣り動作時にいかや外道或は周囲の障害等によりいか角の針が変形したときには現場で早急に針の矯正ができて釣果の向上を期待することができるいか角投入器である。
【発明を実施するための最良の形態】
【００１０】
円柱状のいか角保持部と船縁に取り付けられる支柱とからなり、いか角保持部の基端部を支柱に対して屈折可能に軸支し、前記いか角保持部にその先端から軸線方向に沿う割り溝を形成し、該割り溝によって分断された一方側に割り溝面に沿っていか角の針を保持しながらガイドするガイド突出面を形成し、該割り溝により複数のいか角の胴部を順次保持するようにし、前記支柱に幹糸の掛け棚を枢支したいか角投入器。
【実施例１】
【００１１】
図１ないし図４は本発明に係るいか角投入器に関するものであり、図１は本発明に係るいか角投入器を船縁に設置した説明図、図２はいか角投入器のいか角保持部の構成図、図３はいか角投入器の支柱の構成図、図４はいか角保持部と支柱の組立構成図である。
【００１２】
図１において、１はいか角投入器のいか角保持部であり、該いか角保持部１は支柱２にピン１１によって枢軸され、該支柱２の基部２１は船縁３に設けてある竿立穴に挿着されるようになっている。４はいか角仕掛けであり、幹糸４１の先端におもり４２が連結され、該幹糸４１の途中には複数のハリス４３，４３…が派出連結され、各ハリス４３の先端にはそれぞれいか角４４が取り付けられている。
【００１３】
前記いか角保持部１は円柱状の例えば強化プラスチック材からなり、該円柱状の先端から軸線方向に沿う割り溝１２が形成され、該割り溝１２によって分断された一方側１３に割り溝面に沿っていか角の針４４１，４４１…を保持しながらガイドするガイド突出面１４が軸線方向に沿って形成され、また該割り溝１２は複数のいか角４４，４４…の胴部を順次保持するようになっている。
【００１４】
なお、割り溝１２によって分断されたいか角保持部１はそれぞれ図２に示すように中空部を有する半円柱状とするといか角保持部１の重量の軽減ができ、また、割り溝１２はいか角４４，４４…の胴部を順次等間隔で確実に保持するため溝巾を大小繰り返して形成するようにするとよい。
【００１５】
また、円柱状のいか角保持部１の基端部１５にも後述する支柱２の先端部を挟持するための割り溝１６が形成されていると共に該基端部１５の外周にはゴムリング１７が取付けられている。また、基端部１５の端面は図２に示すように約４５度の面切り部１８が形成されており、この面切り部１８によりいか角保持部１を支柱２に対して角度（例えば４５度の傾斜）を持って屈折した状態で確実に維持するようになっている。
【００１６】
なお、いか角保持部１の内，基端部１５を別体に構成し、該基端部１５に対していか角保持部１の他の部分を回動可能（例えば左右に３０度の回動）に連結すると、前記いか角４４，４４…の胴部を保持する割り溝１２の軸線方向の開口方向が変更できて、いか角４４，４４…を割り溝１２に納めるのに都合がよい。
【００１７】
前記支柱２の先端部には前記いか角保持部１の基端部１５に形成された割り溝１６に挿入される連結部２２が突出され、該連結部２２は前記ピン１１によっていか角保持部１の基端部１５と連結されている。また、該支柱２の上部側には幹糸４１の掛け棚５が枢支されている。そして、この掛け棚５は不使用時には支柱２に沿うように位置させられる。また、支柱２の基部２１にはサポ―トゴム６が取付けられており、このサポ―トゴム６が船縁３に設けてある竿立穴に嵌挿されるようになっている。したがって、竿立穴の大きさに応じてサポ―トゴム６を選択して用いればよい。
【００１８】
前記掛け棚５は、細長い平板５１の上面に例えば１０個というような複数の溝５２，５２…を形成し、図１に示すように一つの溝５２に一つのハリス４３と次のハリス４３間の幹糸４１を折り返して掛けるようにする。
【００１９】
なお、図１では平板５１の上面に溝５２，５２…を形成した掛け棚５を支柱２に対して右側に位置するように枢支したが、前記溝５２，５２…を平板５１の上下面に形成すると、図１の位置にある掛け棚５を枢支点５３を支点として１８０度回動させて、支柱２に対して左側に掛け棚５を位置させることもできる。
【００２０】
以上のような構成からなるいか角投入器において、いか釣り動作時以外の時には、図４のＡに示すように掛け棚５を支柱２に沿うように位置させ、ゴムリング１７を下降させて支柱２の上端側に位置させることにより、いか角保持部１と支柱２は直線状に維持され、通常の竿袋に簡単に収納できて携帯にも便利なものである。
【００２１】
そしていか釣り動作時には、図４のＢに示すように掛け棚５を支柱２に対して９０度回動させて支柱２に対して水平状態とし、ゴムリング１７を上昇させ且ついか角保持部１を４５度屈折させることによりいか角投入器の形成準備ができる。
【００２２】
そこで、図１に示すように、いか角投入器の支柱２を船縁３に設けてある竿立穴に嵌挿させ、いか角仕掛け４で幹糸４１の基部側（おもり４２の取付位置と反対側）のいか角４４から始まっておもり４２側のいか角４４へと、いか角４４の胴部をいか角保持部１の割り溝１２に順次納め保持させると共にいか角４４の針４４１を順次ガイド突出面１４に係止させ、且つ各隣り合ういか角４４間の幹糸を二つ折りにして折り目近傍を掛け棚５の一つの溝５２にそれぞれ挟持させる動作を繰り返し、おもり４２に最も近い側のいか角４４の胴部が割り溝１２の最先端側に位置せるようにすることで、いか角仕掛け４は図１に示すようにいか角投入器に組み付けられる。
【００２３】
このようにしていか角仕掛け４が組み付けられたいか角投入器において、いか釣りの現場でおもり４２を持ってこれを約４５度の角度で投げると、いか角４４は幹糸４１に引かれて割り溝１２の先端側に位置するものから順次空中に放出されてから海中に引き込まれ、最後のいか角４４の放出後に全体のいか角４４が海中に沈みいか釣りに供される。
【００２４】
このように、いか角仕掛け４は、割り溝１２，ガイド突出面１４，幹糸の掛け棚５によって投入器にコンパクトの取り付けられ、しかもいか角仕掛け４の投入時にいか角仕掛け４が絡むことなくスム―ズに放出される。
【００２５】
また、円柱状のいか角保持部１と船縁３に取り付けられる支柱２は、いか角保持部１の基端部１５を支柱２に対して屈折可能に軸支し前記支柱２に幹糸の掛け棚５を枢支したので、いか角保持部１と支柱２と幹糸の掛け棚５とが、あたかも一本の竿状にすることができることから、いか角投入器の不使用時には通常の竿袋に簡単に収納できて携帯にも便利なものである。
【実施例２】
【００２６】
上述の実施例１のいか角投入器において、支柱２の下部に頭を切った直円錐形状の凹穴を形成していか角の針の矯正用針穴７とする。
【００２７】
このように、いか角の針の矯正用針穴７を支柱２に備えさせた場合には、いか釣り動作時にいかや外道或は周囲の障害等によりいか角の針が多少変形したときには、変形したいか角の針を矯正用針穴７に押圧挿入することで、現場で早急に且つ容易に針の矯正ができて釣果の向上を期待することができるものである。
【図面の簡単な説明】
【００２８】
【図１】図１は本発明に係るいか角投入器を船縁に設置した説明図である。
【図２】図２はいか角投入器のいか角保持部の構成図であり、Ａはその平面図とその正面図、Ｂは側面図とその正面図である。
【図３】図３はいか角投入器の支柱の構成図であり、Ａはその平面図とその正面図、Ｂは側面図とその正面図である。
【図４】図４はいか角保持部と支柱の組立構成図であり、Ａは不使用時の平面図と側面図、Ｂは使用時の平面図と側面図である。
【符号の説明】
【００２９】
１                        いか角保持部
２                        支柱
３                        船縁
４                        いか角仕掛け
５                        幹糸の掛け棚
７                        矯正用針穴
１２                      割り溝
１３                      一方側に割り溝面
１４                      ガイド突出面
１５                      基端部
４１                      幹糸
４３                      ハリス
４４                      いか角
４４１                    いか角の針
【図１】
2007097494.tif 000003
【図２】
2007097494.tif 000004
【図３】
2007097494.tif 000005
【図４】
2007097494.tif 000006